(57)【要約】      （修正有）【課題】製品全体が自然界において水と炭酸ガスに分解して消滅する自然環境に優しい衛生用品、及び製品全体を水洗トイレで水に流せる衛生用品を提供する。【解決手段】表面シート（１）、裏面シート（２）、及び表面シートと裏面シートの間に挟装された吸収体（３）とから成る衛生用品において、表面シート（１）、及び吸収体（３）が水解性材料で構成され、裏面シート（２）が防水性の生分解性材料で構成されてなる。また、表面シート及び吸収体が生分解性の水解性材料で構成され、裏面シートが防水性の水解性生分解性材料で構成されることが好ましい。生分解性材料は、ポリ乳酸系樹脂が好ましく、ポリ乳酸又は乳酸−ヒドロキシカルボン酸コポリマー８０〜１００重量％と可塑剤０〜２０重量％とからなるものであることが好ましい。特に、裏面シート（２）が、基材が水解性材料であり、その表面に撥水層が設けられたものが好ましい。【選択図】図２
2020124433.tif 000002
【特許請求の範囲】
【請求項１】
表面シート、裏面シート、及び表面シートと裏面シートの間に挟装された吸収体とから成る衛生用品において、
表面シート及び吸収体が水解性材料で構成され、
裏面シートが防水性の生分解性材料で構成されてなることを特徴とする衛生用品。
【請求項２】
表面シート、裏面シート、及び表面シートと裏面シートの間に挟装された吸収体とから成る衛生用品において、
表面シート及び吸収体が生分解性の水解性材料で構成され、
裏面シートが防水性の水解性生分解性材料で構成されてなることを特徴とする衛生用品。
【請求項３】
裏面シートが、防水性で、生分解性のポリ乳酸系樹脂で構成されてなることを特徴とする請求項１又は２に記載の衛生用品。
【請求項４】
前記生分解性のポリ乳酸系樹脂が、ポリ乳酸又は乳酸−ヒドロキシカルボン酸コポリマー８０〜１００重量％と可塑剤０〜２０重量％とからなるものであることを特徴とする請求項３記載の衛生用品。
【請求項５】
前記吸収体が、パルプと生分解性の高吸水性ポリマーとからなるものであることを特徴とする請求項１又は２に記載の衛生用品。
【請求項６】
裏面シートが、片側表面に撥水層が設けられたものであることを特徴とする請求項１〜５のいずれか１項に記載の衛生用品。
【請求項７】
裏面シートが、水解性の基材の表面に天然油脂又は蝋を塗布してなるものであることを特徴とする請求項１〜６のいずれか１項に記載の衛生用品。
【発明の詳細な説明】
【技術分野】
【０００１】
本発明は、衛生用品に関し、特に自然環境に優しい素材で構成された衛生用
品に関する。
【背景技術】
【０００２】
従来、生理用ナプキン等の衛生用品は、不織布等で覆われた吸収体を不透水性フィルムの上に載せ、さらに全体を不織布等で覆った構造のものである。
これらの不透水性フィルム及び不織布等として、ポリオレフィン樹脂製のものが使用されていた（特許文献１）
【先行技術文献】
【特許文献】
【０００３】
【特許文献１】特開昭６１−１７９３０７号公報
【０００４】
しかしながら、ポリオレフィン樹脂は、自然環境下では分解速度がきわめて遅いため廃棄された場合、廃棄物として長期間蓄積することとなる。
また、吸収体等を誤って水洗便器に廃棄してしまった場合、これら廃棄物が溜って、配管を詰まらせる問題が生じていた。
【０００５】
一方、生分解性を有するポリマーとして、ポリ乳酸又は乳酸とその他のヒドロキシカルボン酸のコポリマー（以下、乳酸系ポリマーと略称する。）が開発されている。これらのポリマーは、土壌や海水中、さらにはコンポスト（堆肥）中に置かれた場合、湿った環境下では数週間で分解を始める。そして、分解生成物は、最終的には二酸化炭素と水になるものである。
【発明の概要】
【発明が解決しようとする課題】
【０００６】
本発明は、上記問題点に鑑み、吸収体等を容易に水に流せ、かつ自然環境下で分解可能な自然環境に優しい衛生用品を提供することにある。
【課題を解決するための手段】
【０００７】
本発明者らは、鋭意研究の結果、水洗トイレで水に流せる水解性で、自然環境下で分解可能な生理用品を開発した。
すなわち、本発明は下記の衛生用品である。
[１]  表面シート（１）、裏面シート（２）、及び表面シートと裏面シートの間に挟装された吸収体（３）とから成る衛生用品において、
表面シート（１）、及び吸収体（３）が水解性材料で構成され、
裏面シート（２）が防水性の生分解性材料で構成されてなることを特徴とする衛生用品。
[２]  表面シート、裏面シート、及び表面シートと裏面シートの間に挟装された吸収体とから成る衛生用品において、
表面シート及び吸収体が生分解性の水解性材料で構成され、
裏面シートが防水性の水解性生分解性材料で構成されてなることを特徴とする衛生用品。
【０００８】
[３]  裏面シートが、防水性で、生分解性のポリ乳酸系樹脂で構成されてなることを特徴とする[１]又は[２]に記載の衛生用品。
[４]   前記生分解性のポリ乳酸系樹脂が、ポリ乳酸又は乳酸−ヒドロキシカルボン酸コポリマー８０〜１００重量％と可塑剤０〜２０重量％とからなるものであることを特徴とする[３]記載の衛生用品。
[５]  前記吸収体が、パルプと生分解性の高吸水性ポリマーとからなるものであることを特徴とする[１]又は[２]記載の衛生用品。
[６]   裏面シートが、片側表面に撥水層が設けられたものであることを特徴とする[１]〜[５]のいずれか１項に記載の衛生用品。
[７]  裏面シートが、水解性の基材の表面に天然油脂又は蝋を塗布してなるものであることを特徴とする[１]〜[６]のいずれか１項に記載の衛生用品。
【発明の効果】
【０００９】
本願発明によれば、製品全体が自然界において水と炭酸ガスに分解して消滅する自然環境に優しい衛生用品を提供することができる。
そしてまた、製品全体を水洗トイレで配管を詰まらせることなく水に流すこともできる。
【図面の簡単な説明】
【００１０】
【図１】本願発明実施例の衛生用品の一部断面斜視図
【図２】図１の中央断面拡大図
【発明を実施するための形態】
【００１１】
本願発明の実施の形態を具体的に説明する。
本願発明の衛生用品構造は、特に限定されるものではなく、従来の構造のものでよいが、一例として図１に示す生理用ナプキンが挙げられる。
すなわち、本願発明の衛生用品は、表面シート（１）と裏面シート（２）、及び表面シートと裏面シートの間に挟装された吸収体（３）とから構成される。
【００１２】
表面シート（１）は透水性の材料、例えば生分解性の不織布であり、裏面シート（２）は防水性の材料、例えば例えば生分解性のフィルム（例えばポリ乳酸（ＰＬＡ）フィルム、ポリブチルサクシネートフィルム（ＰＢＳ）、ナノセルロース（ＣＮＦ））や生分解性の布地である。
ポリ乳酸系を主成分とする防水フィルムには、体液防漏用シートとして、ポリ乳酸が好ましく使用される。
防水性フィルムの成形方法には特に制限はなく、公知の成形方法によりフィルム状に成形されたもので差支えない。
例えば、ポリ乳酸、乳酸−ヒドロキシカルボン酸コポリマー等の乳酸系ポリマーに可塑剤、無機充填剤、紫外線吸収剤等の添加剤を配合し、Ｔ−ダイ式押出成形法、インフレーション式押出成形法、カレンダー式成形法等によりフィルム状に溶融成形する方法が挙げられる。
【００１３】
そして、吸収体（３）は吸水性の材料で、例えば水解性で生分解性のものであり、パルプや不織布、セルロースフラフ、ナノセルロース（ＣＮＦ）等で構成されており、その表面又は／及び内部には、生分解性の高吸水性樹脂３’が担持されている。
さらに、裏面シート（２）の吸収体（３）側の表面には防水性の生分解性材料、例えば天然材の撥水剤層２’（蜜蝋）が塗着されている。
【００１４】
本願発明における、表面シート、裏面シート、及び表面シートと裏面シートの間に挟装された吸収体は全て生分解性の材料で構成されるが、水解性であることが好ましい。
水解性とは、少量の水を含有した際には形状が崩壊することはないが、これを超える大量の水に投入することにより、例えば通常の水洗トイレに流したときに、その水流により形状が崩壊し、繊維の状態に解繊して水洗トイレを詰まらせることなく流すことができる性能である。
水解性材料の製造方法は、短繊維を水溶性の接着剤で接着して乾燥することで製造される。水溶性の接着剤としてはポリビニルアルコールが好ましく使用される。
【００１５】
なお、裏面シート（２）面を、衣類等に粘着固定するために、粘着層を設ける際には、生分解性の粘着剤、例えば天然ゴムと短繊維との混合物から成るものを貼設すればよい。
【００１６】
生分解性吸水ポリマとしては、自己架橋型アルキルセルロース誘導体を乾燥後顆粒状にしたものや、高吸水性デンプンゲルを乾燥後顆粒状にしたもの、ポリグルタミン酸やポリアスパラギン酸に放射線で架橋したもの、カルボキシメチルセルロースナトリウムを金属塩で架橋したものなど、生分解性の吸水ポリマであればよいが、特にガラクトマンナンの架橋物が好ましい。
【００１７】
裏面シート（２）は、生分解性であり、かつ水解性であることが好ましい。
それを実現するためには、図２に示すごとく、基材（２）を水解性のシートで構成し、その表面（吸収体側）に生分解性の油脂（２’）、例えば蜜蝋を塗布しておくことが好ましい。
【符号の説明】
【００１８】
１：表面シート
２：裏面シート
２’：蜜蝋
３：吸収体
３’：高吸水性樹脂
【図１】
2020124433.tif 000003
【図２】
2020124433.tif 000004